(57)【要約】  キャビネットフレーム、前方機器レール、及び構造エアダムを含む、電子機器キャビネット。キャビネットフレームは、上部フレームを形成するために一対の上部左右梁に接合される前後梁の第１の対及び、下部フレームを形成するために一対の下部左右梁に接合される前後梁の第２の対ならびに、上部フレーム及び下部フレームに接合される複数の垂直柱を含む。前方機器レールは、前後梁の第１の対の１つに、かつ前後梁の第２の対の１つに着脱自在に接合される。構造エアダムは、前方機器レールに、かつ複数の垂直柱の１つに接合される。
2017528003.tif 000002
【特許請求の範囲】
【請求項１】
上部フレームを形成するための一対の上部左右梁に接合される前後梁の第１の対、下部フレームを形成するために一対の下部左右梁に接合される前後梁の第２の対、ならびに、前記上部フレーム及び前記下部フレームに接合される複数の垂直柱を含むキャビネットフレームと、
前記前後梁の第１の対の１つに、かつ前記前後梁の第２の対の１つに、着脱自在に接合される前方機器レールと、
前記前方機器レールに、かつ前記複数の垂直柱の１つに接合される構造エアダムと、
を含む、電子機器キャビネット。
【請求項２】
前記前後梁の第１の対が前記一対の左右梁に溶接され、前記前後梁の第２の対が前記一対の下部左右梁に溶接され、かつ前記垂直柱が前記上部フレーム及び前記下部フレームに溶接される、請求項１に記載の電子機器キャビネット。
【請求項３】
前記前後梁の第１の対及び前記前後梁の第２の対が、前記対応する垂直柱に対して差し込まれる、請求項１に記載の電子機器キャビネット。
【請求項４】
前記キャビネットフレームが、一対の前記複数の垂直柱の間に位置し、前記一対の垂直柱に接合される補強前後梁をさらに含む、請求項１に記載の電子機器キャビネット。
【請求項５】
前記補強前後梁が前記一対の垂直柱に溶接される、請求項４に記載の電子機器キャビネット。
【請求項６】
前記構造エアダムが補強前後梁に接合される、請求項４に記載の電子機器キャビネット。
【請求項７】
前記構造エアダムがビームブラケットを通じて補強前後梁に接合される、請求項６に記載の電子機器キャビネット。
【請求項８】
前記前後梁の第１の対の１つに、前記前後梁の第２の対の１つに、かつ前記補強前後梁に着脱自在に接合される後方機器レールをさらに含む、請求項４に記載の電子機器キャビネット。
【請求項９】
前記後方機器レールが後方ビームブラケットを通じて前記補強前後梁に接合される、請求項８に記載の電子機器キャビネット。
【請求項１０】
前記複数の垂直柱の２つに接合される上側パネル梁と、
前記複数の垂直柱の前記２つに接合される下側パネル梁と、
をさらに含む、請求項１に記載の電子機器キャビネット。
【請求項１１】
前記上側パネル梁が前記複数の垂直柱の前記２つに溶接され、前記下側パネル梁が前記複数の垂直柱の前記２つに溶接される、請求項１０に記載の電子機器キャビネット。
【請求項１２】
前記下側パネル梁及び前記上側パネル梁に係合するように構成されるサイドパネルをさらに含む、請求項１０に記載の電子機器キャビネット。
【請求項１３】
前記サイドパネル下部から延在し、前記サイドパネルの前記下部が前記下側パネル梁の上面に載せられるために、前記下側パネル梁内のスロットに係合するように構成されるタブを有する管状部材を前記サイドパネルが含む、請求項１２に記載の電子機器キャビネット。
【請求項１４】
前記上側パネル梁の１つのフランジに係合し、前記サイドパネルの取り外しを防止するように構成される前記サイドパネル上部に隣接するロック機構を、前記サイドパネルがさらに含む、請求項１３に記載の電子機器キャビネット。
【請求項１５】
前記構造エアダムが略Ｃ字形断面を有し、その中に形成される少なくとも１つの通過可能な切欠部を含む、請求項１に記載の電子機器キャビネット。
【請求項１６】
前記構造エアダムがポストブラケットを通じて前記前方機器レールに接合される、請求項１に記載の電子機器キャビネット。
【請求項１７】
前記上部フレームに着脱自在に接合される上部キャップをさらに含む、請求項１に記載の電子機器キャビネット。
【請求項１８】
前記上部フレームに着脱自在に接合される前部及び、前記上部フレームに着脱自在に接合される離れた後部を前記上部キャップが含む、請求項１７に記載の電子機器キャビネット。
【請求項１９】
データ及び／または電力ケーブルの通過を可能にするように構成される、少なくとも１つの開口部を前記上部キャップが含む、請求項１７に記載の電子機器キャビネット。
【請求項２０】
前記上部キャップに隣接する前記上部フレームに着脱自在に接合される垂直排気ダクトをさらに含む、請求項１７に記載の電子機器キャビネット。
【請求項２１】
上部フレームを形成するための一対の上部左右梁に接合される前後梁の第１の対、下部フレームを形成するために一対の下部左右梁に接合される前後梁の第２の対、ならびに、前記上部フレーム及び前記下部フレームに接合される複数の垂直柱を含むキャビネットフレームと、
前記前後梁の第１の対の１つに、かつ前記前後梁の第２の対の１つに、着脱自在に接合される前方機器レールと、
前記前方機器レールに接合されるチャネル部材と、
前記チャネル部材に接合される垂直ケーブル管理レールと、
を含む、電子機器キャビネット。
【請求項２２】
前記前方機器レールが前記電子機器キャビネットの前面から後退する、請求項２１に記載の電子機器キャビネット。
【請求項２３】
前記チャネル部材が略Ｃ字形断面を有し、３ミリメートル厚の鋼により作製される、請求項２１に記載の電子機器キャビネット。
【請求項２４】
前記垂直ケーブル管理レールに、前記チャネル部材に、かつ、前記前後梁の第１の対の１つにおいて形成されるチャネル内に位置するチャネルナットに固定される上部取付ブラケットをさらに含む、請求項２１に記載の電子機器キャビネット。
【請求項２５】
前記垂直ケーブル管理レールに、かつ前記チャネル部材に固定される略Ｕ字形状の本体と、
前記本体から延在し、前記チャネルナットに固定されるフランジと、
を前記上部取付ブラケットが含む、請求項２４に記載の電子機器キャビネット。
【請求項２６】
前記垂直ケーブル管理レールに、前記チャネル部材に、前記前後梁の第２の対の１つにおいて形成されるチャネル内に位置するチャネルナットに、かつ下部左右梁の前記一対の１つに固定される下部取付ブラケットをさらに含む、請求項２１に記載の電子機器キャビネット。
【請求項２７】
前記垂直ケーブル管理レールに、かつ前記チャネル部材に固定される略Ｕ字形状の本体と、
前記本体から延在し、前記チャネルナットに固定される第１のフランジと、
前記本体から延在し、前記下部左右梁の前記一対の１つに固定される第２のフランジと、
を前記下部取付ブラケットが含む、請求項２６に記載の電子機器キャビネット。
【請求項２８】
前記電子機器キャビネットにおいて温風／冷風の分離をもたらすために前記前方機器レールに取り付けられる、垂直ブランキング板をさらに含む、請求項２１に記載の電子機器キャビネット。
【請求項２９】
前記垂直ブランキング板がケーブル通過開口部を含む、請求項２８に記載の電子機器キャビネット。
【請求項３０】
前記前後梁の第１の対が前記一対の左右梁に溶接され、前記前後梁の第２の対が前記一対の下部左右梁に溶接され、かつ前記垂直柱が前記上部フレーム及び前記下部フレームに溶接される、請求項２１に記載の電子機器キャビネット。
【請求項３１】
前記前後梁の第１の対及び前記前後梁の第２の対が、前記対応する垂直柱に対して差し込まれる、請求項２１に記載の電子機器キャビネット。
【請求項３２】
前記複数の垂直柱の２つに接合される上側パネル梁と、
前記複数の垂直柱の前記２つに接合される下側パネル梁と、
をさらに含む、請求項２１に記載の電子機器キャビネット。
【請求項３３】
前記上側パネル梁が前記複数の垂直柱の前記２つに溶接され及び前記下側パネル梁が前記複数の垂直柱の前記２つに溶接される、請求項３２に記載の電子機器キャビネット。
【請求項３４】
前記下側パネル梁及び前記上側パネル梁に係合するように構成されるサイドパネルをさらに含む、請求項３２に記載の電子機器キャビネット。
【請求項３５】
前記サイドパネル下部から延在し、前記サイドパネルの前記下部が前記下側パネル梁の上面に載せられるために、前記下側パネル梁内のスロットに係合するように構成されるタブを有する管状部材を前記サイドパネルが含む、請求項３４に記載の電子機器キャビネット。
【請求項３６】
前記上側パネル梁の１つのフランジに係合し、前記サイドパネルの取り外しを防止するように構成される前記サイドパネル上部に隣接するロック機構を、前記サイドパネルがさらに含む、請求項３５に記載の電子機器キャビネット。
【請求項３７】
前記上部フレームに着脱自在に接合される上部キャップをさらに含む、請求項２１に記載の電子機器キャビネット。
【請求項３８】
前記上部フレームに着脱自在に接合される前部及び、前記上部フレームに着脱自在に接合される離れた後部を前記上部キャップが含む、請求項３７に記載の電子機器キャビネット。
【請求項３９】
データ及び／または電力ケーブルの通過を可能にするように構成される、少なくとも１つの開口部を前記上部キャップが含む、請求項３７に記載の電子機器キャビネット。
【請求項４０】
前記上部キャップに隣接する前記上部フレームに着脱自在に接合される垂直排気ダクトをさらに含む、請求項３７に記載の電子機器キャビネット。
【発明の詳細な説明】
【技術分野】
【０００１】
関連出願の相互参照
本出願は、２０１２年６月２５日に出願された米国特許仮出願６１／６６３，８９８号の優先権を主張する、２０１３年６月２０日に出願された米国特許出願第１３／９２２，７７７号の一部継続出願であり、これらの特許についてはいずれも、その全体を本明細書に参照文献として援用する。
【０００２】
本発明は概して、ネットワーク及びサーバキャビネットなどの電子機器キャビネットに関し、より詳細には、強化電子機器キャビネットに関する。
【背景技術】
【０００３】
電子機器キャビネットは当技術分野において周知である。例えば、アメリカン・パワー・コンバージョン社（ロードアイランド州、ウエストキングストン）に譲渡されている米国特許第７，２９３，６６６号においては、電子機器キャビネットが開示されている。しかし電子機器キャビネットは、差し込み前後梁及び着脱自在の垂直柱を有さない。また典型的な電子機器キャビネットは、電子機器を電子機器キャビネット内に設置した状態で搬送し、または移動させるほど十分には強くも頑丈でもない。
【０００４】
したがって、電子機器キャビネットには差し込み前後梁を有する必要性が生じる。また、電子機器で満載である状態で搬送し、移動させるのに十分強くかつ頑丈な電子機器キャビネットが必要とされる。
【発明の概要】
【０００５】
一実施例において、電子機器キャビネットは、キャビネットフレーム、前方機器レール、及び構造エアダムを含んでいる。キャビネットフレームは、上部フレームを形成するために一対の上部左右梁に接合される前後梁の第１の対、下部フレームを形成するために一対の下部左右梁に接合される前後梁の第２の対、ならびに、上部フレーム及び下部フレームに接合された複数の垂直柱を含む。前方機器レールは、前後梁の第１の対の１つに、また前後梁の第２の対の１つに着脱自在に接合される。構造エアダムは前方機器レールに、また複数の垂直柱の１つに接合される。
【０００６】
別の実施例において、電子機器キャビネットは、キャビネットフレーム、前方機器レール、チャネル部材、及び垂直ケーブル管理レールを含んでいる。キャビネットフレームは、上部フレームを形成するために一対の上部左右梁に接合される前後梁の第１の対、下部フレームを形成するために一対の下部左右梁に接合される前後梁の第２の対、ならびに、上部フレーム及び下部フレームに接合される複数の垂直柱を含む。前方機器レールは、前後梁の第１の対の１つに、また前後梁の第２の対の１つに着脱自在に接合される。チャネル部材は、前方機器レールに接合される。垂直ケーブル管理レールは、チャネル部材に接合される。
【０００７】
本発明の特定の実施例について、添付図面によって説明する。図面が必ずしも原寸に比例したものではないこと、また、本発明を理解するために必ずしも必要ではないか、または認識しづらい他の詳細を描写する詳細については省略してもよいことを理解すべきである。もちろん、本発明が特定の実施例に必ずしも限定されないことを理解すべきである。
【図面の簡単な説明】
【０００８】
【図１】本発明の実施形態による、電子機器キャビネットの上前面斜視図である。
【図２】開放位置にある前面ドア、背面ドア、及びサイドパネルを示す、図１の電子機器キャビネットの上前面斜視図である。
【図３】図１の電子機器キャビネットの分解上前面斜視図である。
【図４】図３のキャビネットフレームの上前面斜視図である。
【図５】図４のキャビネットフレームの分解上前面斜視図である。
【図６】図５の詳細６の拡大上前面斜視図である。
【図７】図５の詳細７の拡大上前面斜視図である。
【図８】図５の下部フレームの分解底前面斜視図である。
【図９】図８の詳細９の拡大底前面斜視図である。
【図１０】図８の詳細１０の拡大底前面斜視図である。
【図１１】図４のキャビネットフレームの上面図である。
【図１２】図１１の詳細１２の拡大上面図である。
【図１３】図１１のキャビネットフレームの幅（例えば、６００ｍｍ）よりも広い幅（例えば、７００ｍｍ）を有するキャビネットフレームの上面図である。
【図１４】図１３の詳細１４の拡大上面図である。
【図１５】図１３のキャビネットフレームの幅（例えば、７００ｍｍ）よりも広い幅（例えば、８００ｍｍ）を有するキャビネットフレームの上面図である。
【図１６】図１５の詳細１６の拡大上面図である。
【図１７】設置された機器レールを示す、図４のキャビネットフレームの上前面斜視図である。
【図１８】図１７の詳細１８の拡大上前面斜視図である。
【図１９】図１９の分解上前面斜視図である。
【図２０】図１７のキャビネットフレームの側面図である。
【図２１】図２０の詳細２１の側面図である。
【図２２】機器レール上に設置されたパッチパネルカセットを示す、図１７のキャビネットフレームの上背面斜視図である。
【図２３】図２２の詳細２３の拡大上背面斜視図である。
【図２４】図２３の部分分解上背面斜視図である。
【図２５】機器レール上に設置されたケーブル管理フィンガーを示す、図１７のキャビネットフレームの上背面斜視図である。
【図２６】図２５の詳細２６の拡大上背面斜視図である。
【図２７】図２６の部分分解上背面斜視図である。
【図２８】機器レール上に設置された垂直ブランキングパネルを示す、図１７のキャビネットフレームの上背面斜視図である。
【図２９】図２８の詳細２９の拡大上背面斜視図である。
【図３０】図２９の部分分解上背面斜視図である。
【図３１】図３０の部分分解上背面斜視図である。
【図３２】設置され、かつ閉鎖位置にある前面ドアを示す、図４のキャビネットフレームの上前面斜視図である。
【図３３】図３２の詳細３３の拡大上前面斜視図である。
【図３４】開放位置にある前面ドアを示す、図３２のキャビネットフレームの上前面斜視図である。
【図３５】図３４の詳細３５の拡大上前面斜視図である。
【図３６】図３４の詳細３６の拡大上前面斜視図である。
【図３７】図３４の詳細３７の拡大上前面斜視図である。
【図３８】設置され、閉鎖位置にある背面ドアを示す、図４のキャビネットフレームの上背面斜視図である。
【図３９】図３８の詳細３９の拡大上背面斜視図である。
【図４０】開放位置にある背面ドアを示す、図３８のキャビネットフレームの上背面斜視図である。
【図４１】図４０の詳細４１の拡大上背面斜視図である。
【図４２】図４０の詳細４２の拡大上背面斜視図である。
【図４３】図４０の詳細４３の拡大上背面斜視図である。
【図４４】設置され、閉鎖位置にある側面ドアを示す、図４のキャビネットフレームの上前面斜視図である。
【図４５】図４４の詳細４５の拡大上前面斜視図である。
【図４６】開放位置にある側面ドアを示す、図４４のキャビネットフレームの上前面斜視図である。
【図４７】図４６の詳細４７の拡大上前面斜視図である。
【図４８】図４６の詳細４８の拡大上前面斜視図である。
【図４９】図４６の詳細４９の拡大上前面斜視図である。
【図５０】開放位置にある側面ドアを示す、図４４のキャビネットフレームの上背面斜視図である。
【図５１】図５０の詳細５１の拡大上背面斜視図である。
【図５２】図５０の詳細５２の拡大上背面斜視図である。
【図５３】設置された上部キャップを示す、図４のキャビネットフレームの上前面斜視図である。
【図５４】図５３の詳細５４の拡大上前面斜視図である。
【図５５】図５４の部分分解上前面斜視図である。
【図５６】その下のキャビネットフレームを隠れ線で示す、図５３の上部キャップの上面図である。
【図５７】図５６の詳細５７の拡大上面図である。
【図５８】その下のより幅の広いキャビネットフレームを隠れ線で、また、部分的に、または完全に取り外されたグロメットのいくつかを示す、図５３のキャビネットフレームの幅（例えば、６００ｍｍ）よりも広い幅（例えば、７００ｍｍ）を有するキャビネットフレームの上部キャップの上面図である。
【図５９】図５８の詳細５９の拡大上面図である。
【図６０】その下のより幅の広いキャビネットフレームを隠れ線で、また、部分的に、または完全に取り外されたグロメットのいくつかを示す、図５８のキャビネットフレームの幅（例えば、６００ｍｍ）よりも広い幅（例えば、８００ｍｍ）を有するキャビネットフレームの上部キャップの上面図である。
【図６１】図６０の詳細６１の拡大上面図である。
【図６２】本発明の第２の実施形態による、電子機器キャビネットの上前面斜視図である。
【図６３】図６２の電子機器キャビネットのキャビネットフレームの一実施例の上前面斜視図である。
【図６４Ａ】図６３のキャビネットフレームの機器レール及びエアダムの上前面斜視図である。
【図６４Ｂ】図６４Ａの機器レール及びエアダムの分解図である。
【図６５】図６３のキャビネットフレームの部分分解図である。
【図６６】図６３のキャビネットフレームの部分分解上後方斜視図である。
【図６７】図６３のキャビネットフレームの部分分解図である。
【図６８】図６３のキャビネットフレームの前面右角部の平面図である。
【図６９】ケーブル管理フィンガーを有する、図６３のキャビネットフレームの上後方斜視図である。
【図７０】サイドパネルが設置されていない、図６３のキャビネットフレームの下部左角部の前面平面図である。
【図７１】サイドパネルが設置された、図６３のキャビネットフレームの下部左角部の前面平面図である。
【図７２】１つのサイドパネルが設置され、１つのサイドパネルが部分的に設置された、図６３のキャビネットフレームの上前面斜視図である。
【図７３】２つのサイドパネルを有する、図６３のキャビネットフレームの部分底前面斜視図である。
【図７４Ａ】ケーブル管理フィンガー及び上部キャップを有する、図６３のキャビネットフレームの上前面斜視図である。
【図７４Ｂ】図７４Ａのキャビネットフレームの部分分解図である。
【図７４Ｃ】１つの上部キャップ及び排気筒を有する、図７４Ａのキャビネットフレームの部分上前面斜視図である。
【図７５】図６２の電子機器キャビネットのキャビネットフレームの別の実施形態の上前面斜視図である。
【図７６】図７５のキャビネットフレームの機器レール、ケーブル管理フィンガーレール、及び強化チャネルの部分分解図である。
【図７７】図７５のキャビネットフレームの機器レール、ケーブル管理フィンガーレール、及び強化チャネルの平面図である。
【図７８】図７５のキャビネットフレームの部分分解上後方斜視図である。
【図７８Ａ】図７８の詳細７８Ａの拡大上後方斜視図である。
【図７８Ｂ】図７８の詳細７８Ｂの拡大上後方斜視図である。
【図７９】分解図でエアダムを示す、図７５のキャビネットフレームの上後方斜視図である。
【発明を実施するための形態】
【０００９】
図１〜３で示すように、電子機器キャビネット１００の一実施例は、キャビネットフレーム２００（図４〜１６）、機器レール３００Ａ、３００Ｂ（図１７〜３１）、前面ドア４００（図３２〜３７）、背面ドア５００（図３８〜４３）、側面ドア６００（図４４〜５２）、及び上部キャップ７００（図５３〜６１）を含む。
【００１０】
図４で示すように、キャビネットフレーム２００は、前後梁２１０、上部及び下部左右梁２２０Ａ、２２０Ｂ、垂直柱２３０、ならびに面板２４０を含む。
【００１１】
図５で示すように、前後梁２１０及び上部左右梁２２０Ａが接合され、上部フレーム２５０Ａを形成する。同様に、前後梁２１０及び下部左右梁２２０Ｂが接合され、下部フレーム２５０Ｂを形成する。前後梁２１０は、例えばリベット及び溶接部などの永久的接合部を利用して左右梁２２０Ａ、２２０Ｂに永久的に接合されることが好ましいが、例えばナット及びボルト及びネジなどの着脱自在の接合具を利用して、前後梁２１０が左右梁２２０Ａ、２２０Ｂに着脱自在に接合されることも同様に考えられる。
【００１２】
図６及び７で示すように、垂直柱２３０は上部及び下部フレーム２５０Ａ、２５０Ｂに、また、より詳細には、左右梁２２０Ａ、２２０Ｂに接合され、キャビネットフレーム２００を形成する。垂直柱２３０は、例えばナット及びボルト及びネジなどの着脱自在の接合具を利用して、左右梁２２０Ａ、２２０Ｂに着脱自在に接合されることが好ましいが、垂直柱２３０が例えばリベット及び溶接部などの永久的接合部を利用して、左右梁２２０Ａ、２２０Ｂに永久的に接合されることも同様に考えられる。カバー板２３２は、例えばナット及びボルト及びネジなどの着脱自在の接合具を利用して、垂直柱２３０に着脱自在に接合され、取り外し時には、キャビネットフレーム組立開口部２３４へのアクセスを提供する。さらに設置時には、カバー板２３２は複数のキャビネットとの連動のためのスタンドオフの働きをする。
【００１３】
さらに面板２４０は、例えばナット及びボルト及びネジなどの着脱自在の接合具を利用して、左右梁２２０Ａ、２２０Ｂ及び垂直柱２３０に着脱自在に接合されるが、面板２４０が例えばリベット及び溶接部などの永久的接合部を利用して、左右梁２２０Ａ、２２０Ｂに永久的に接合されることも同様に考えられる。面板２４０はキャビネットフレーム２００、また、より詳細には、左右梁２２０Ａ、２２０Ｂ及び垂直柱２３０にさらなる剛性を与えることが好ましい。カバー板２４２は、例えばナット及びボルト及びネジなどの着脱自在の接合具を利用して、面板２４０、また最終的には、左右梁２２０Ａに着脱自在に接合され、取り外し時には、配索用開口部２２４、２４４へのアクセスを提供する。
【００１４】
上部及び下部フレーム２５０Ａ、２５０Ｂについては、電子機器キャビネット１００の搬送前に、例えば工場において組み立てておくことが好ましいが、機器レール３００、前面ドア４００、背面ドア５００、側面ドア６００、及び上部キャップ７００と同様に垂直柱２３０及び面板２４０が、例えばデータセンターにおいて、またはデータセンター付近に位置する遠隔組立設備において、電子機器キャビネット１００の搬送後に組み立てられることによって、組立時間に大きな影響を与えることなく、搬送量、ひいては電子機器キャビネット１００の搬送にかかる費用を削減し得る。
【００１５】
図８〜１０で示すように、前方及び後方キャスター２６０Ａ、２６０Ｂならびに水平出し脚２７０は、下部フレーム２５０Ｂ、また、より詳細には、下部左右梁２２０Ｂに接合される。後方キャスター２６０Ｂ及び水平出し脚２７０は、下部フレーム２５０Ｂ、また、より詳細には、下部左右梁２２０Ｂに回動可能に接合され、子機器キャビネット１００の位置決め及び水平出しを補助することが好ましいが、前方キャスター２６０Ａは単独で、または後方キャスター２６０Ｂと組み合わせて、下部フレーム２５０Ｂ、また、より詳細には、下部左右梁２２０Ｂに回動可能に接合され、電子機器キャビネット１００の位置決めをさらに補助することも同様に考えられる。
【００１６】
図１１及び１２で示すように、前後梁２１０は垂直柱２３０、また、より詳細には、左右梁２２０Ａ、２２０Ｂ及び垂直柱２３０の交差部に対して差し込まれ、キャビネットフレーム２００の側面に沿って、例えば機器レール３００Ａ、３００Ｂによって画定される機器取付領域２９０と、側面ドア６００の側面ドアパネル６１０Ａ、６１０Ｂとの間に配索領域２８０を形成する。
【００１７】
電子機器キャビネット１００の幅が、例えば６００ｍｍ（図１１及び１２）から７００ｍｍ（図１３及び１４）及び８００ｍｍ（図１５及び１６）へと広がるにつれ、機器取付領域２９０の幅は同一のまま、配索領域２８０の幅が広がる。
【００１８】
図１７〜１９及び２８〜３１で示すように、機器レール３００Ａ、３００Ｂはキャビネットフレーム２００、また、より詳細には、上部及び下部フレーム２５０Ａ、２５０Ｂの前後梁２１０に接合される。機器レール３００Ａ、３００Ｂは調整可能であることが好ましい。すなわち、機器レール３００Ａ、３００Ｂは、例えばナット及びボルト及びネジなどの着脱自在の接合具を利用して、キャビネットフレーム２００、また、より詳細には、上部及び下部フレーム２５０Ａ、２５０Ｂの前後梁２１０に着脱自在に接合される。
【００１９】
例えば図１９及び３１で示すように、機器レール３００Ａ、３００Ｂは、チャネルナット３１０及び取付ボルト３２０を含む。チャネルナット３１０は、前後梁２１０における上部開口部２１２を通じたチャネルナット３１０の位置決め及びチャネルナット３１０の前後梁２１０における側面開口部２１４との整列のためのタブ３１２を含む。さらに、チャネルナット３１０は、チャネルナット３１０の前後梁２１０への固定及び機器レール３００のキャビネットフレーム２００への接地のための返しとげ３１４を含む。
【００２０】
図２０及び２１で示すように、チャネルナット３１０及び取付ボルト３２０が螺合され、かつ堅固である場合、機器レール３００Ａ、３００Ｂは前後梁２１０に固定される。しかし、チャネルナット３１０及び取付ボルト３２０が螺合されるものの緩んでいる場合、機器レール３００Ａ、３００Ｂは前後梁２１０における細長い開口部２１４に沿って摺動し、機器レール３００Ａ、３００Ｂが前後梁２１０における細長い開口部２１４に沿って任意の数の場所において位置合わせすることを可能にする。
【００２１】
機器レール３００Ａ、３００Ｂの場所に応じて、さらなる配索用領域２８０が、例えば電子機器キャビネット１００の前面において、かつ電子機器キャビネット１００の背面に設けられる場合がある。
【００２２】
さらに、図１９及び３１で示すように、機器レール３００Ａ、３００Ｂは、例えばナット及びボルト及びネジなどの着脱自在の接合具を利用して、機器レール３００Ａ、３００Ｂに着脱自在に接合されるスティフナ３３０を含むが、スティフナ３３０が、例えばリベット及び溶接部などの永久的接合部を利用して、機器レール３００Ａ、３００Ｂに永久的に接合されることも同様に考えられる。代わりに、機器レール３００Ａ、３００Ｂ及びスティフナ３３０が一体的に形成される。
【００２３】
図２２〜２７で示すように、機器レール３００Ｂは、サーバ、パッチパネル、及びスイッチなどの電子機器の電子機器キャビネット１００内での取り付けのための取付開口部３４０を含み、電子機器キャビネット１００、また、より詳細には、電子機器キャビネット１００の配索用領域２８０内でのパッチパネルカセット３５２及びケーブル管理フィンガー３６２などの付属品の取り付けのための、パッチパネルカセット取付ブラケット３５０及びケーブル管理フィンガー取付ブラケット３６０などの付属品取付ブラケットを受けるように構成される。
【００２４】
例えば図２２〜２４で示すように、機器レール３００Ｂは、パッチパネルカセット３５２の機器レール３００Ｂへの取り付けのためのパッチパネルカセット取付ブラケット３５０を含む。図２４で示すように、パッチパネルカセット取付ブラケット３５０は、例えばナット及びボルト及びネジなどの着脱自在の接合具を利用して、機器レール３００Ｂに着脱自在に接合されるが、パッチパネルカセット取付ブラケット３５０が、例えばリベット及び溶接部などの永久的接合部を利用して、機器レール３００Ｂに永久的に接合されることも同様に考えられる。代わりに、機器レール３００Ｂ及びパッチパネルカセット取付ブラケット３５０が一体的に形成される。パッチパネルカセット３５２は、パッチパネルカセット収納部３５４にスナップ嵌合し、それが次に、パッチパネルカセット取付ブラケット３５０にスナップ嵌合する。このように、パッチパネルカセット収納部３５４はパッチパネルカセット取付ブラケット３５０から迅速かつ容易に取り外され、パッチパネルカセット３５０へのアクセスを拡大する。
【００２５】
代わりに、図２５〜２７で示すように、機器レール３００Ｂは、ケーブル管理フィンガー３６２の機器レール３００Ｂへの取り付けのためのケーブル管理フィンガー取付ブラケット３６０を含む。図２７で示すように、ケーブル管理フィンガー取付ブラケット３６０は、例えばナット及びボルト及びネジなどの着脱自在の接合具を利用して、機器レール３００Ｂに着脱自在に接合されるが、ケーブル管理フィンガー取付ブラケット３５０が、例えばリベット及び溶接部などの永久的接合部を利用して、機器レール３００Ｂに永久的に接合されることも同様に考えられる。代わりに、機器レール３００Ｂ及びケーブル管理フィンガー取付ブラケット３６０が一体的に形成される。ケーブル管理フィンガー３６２はケーブル管理フィンガー取付ブラケット３６０にスナップ嵌合する。
【００２６】
図２８〜３１で示すように、機器レール３００Ａは、サーバ、パッチパネル、及びスイッチなどの電子機器の電子機器キャビネット１００内での取り付けのための取付開口部３４０を含み、電子機器キャビネット１００の開放領域を封止し、冷却された吸気及び加熱された排気を分離するために、通常、取付開口部３４０を利用して機器レール３００Ａに取り付けられる水平ブランキングパネル（図示せず）、及び、垂直ブランキングパネル３７０などのブランキングパネルを受けるように構成される。
【００２７】
例えば、図２８〜３１で示すように、機器レール３００Ａは、垂直ブランキングパネル３７０を含む。図３０で示すように、垂直ブランキングパネル３７０は、例えばナット及びボルト及びネジなどの着脱自在の接合具を利用して、機器レール３００Ａに着脱自在に接合されるが、垂直ブランキングパネル３７０が、例えばリベット及び溶接部などの永久的接合部を利用して、機器レール３００Ａに永久的に接合されることも同様に考えられる。代わりに、機器レール３００Ａ及び垂直ブランキングパネル３７０は一体的に形成される。さらに、垂直ブランキングパネル３７０は、垂直柱２３０に着脱自在に接合され、キャビネットフレーム２００、また、より詳細には、垂直柱２３０にさらなる剛性を与える。
【００２８】
図３２及び３４で示すように、前面ドア４００は、キャビネットフレーム２００、また、より詳細には、面板２４０、また最終的には、垂直柱２３０に回動可能に接合される前面ドア板４１０を含み、閉鎖位置（図３２）から開放位置（図３４）へと回動する。さらに、図３６及び３７で示すように、前面ドア板４１０はキャビネットフレーム２００に着脱自在に接合され、その迅速かつ容易な設置及び取り外しのために、ばね付勢されたヒンジピン４２０を含む。
【００２９】
図３８及び４０で示すように、背面ドア５００は、キャビネットフレーム２００、また、より詳細には、面板２４０、また最終的には、垂直柱２３０に回動可能に接合される背面ドアパネル５１０を含み、閉鎖位置（図３８）から開放位置（図４０）へと回動する。さらに、図４２及び４３で示すように、背面ドアパネル５１０はキャビネットフレーム２００に着脱自在に接合され、開放時の背面ドアパネル５１０の取り外しを防止するフランジ５２０を含む。
【００３０】
図４４、４６、及び５０で示すように、側面ドア６００は、上部キャップ７００と同様に、キャビネットフレーム２００、また、より詳細には、垂直柱２３０に回動可能に接合される側面ドアパネル６１０Ａ、６１０Ｂを含み、閉鎖位置（図４６）から開放位置（図４６及び５０）へと回動する。さらに、図４８、４９、５１、及び５２で示すように、側面ドアパネル６１０Ａ、６１０Ｂは、上部キャップ７００と同様にキャビネットフレーム２００に着脱自在に接合され、その迅速かつ容易な設置及び取り外しのために、ばね付勢されたヒンジピン６２０を含む。
【００３１】
図５３〜５５で示すように、上部キャップ７００は、例えばナット及びボルト及びネジなどの着脱自在の接合具を利用して、キャビネットフレーム２００、また、より詳細には、上部フレーム２５０Ａの前後梁２１０及び左右梁２２０Ａならびに垂直柱２３０に着脱自在に接合され、例えば、グロメット７２２及びグロメットカバー７２４と嵌合され、サーバキャビネット１００、また、より詳細には、配索領域２８０の側面の上方に配置されるデータケーブル開口部７２０、及び、例えば、ノックアウト部７３２と嵌合され、電子機器キャビネット１００の背面の上方に配置される電力ケーブル開口部７３０を含む。
【００３２】
電子機器キャビネット１００の幅が例えば、６００ｍｍ（図５６及び５７）から７００ｍｍ（図５８及び５９）及び８００ｍｍ（図６０及び６１）へと広がるにつれ、、データケーブル開口部７２０の幅が広がり、例えば、配索領域２８０のさらなる幅を受容する。
【００３３】
本発明の特定の実施形態において、ドア位置センサ及び環境センサ（例えば、温度、湿度など）などのセンサ（図示せず）は、例えば開口部２２４、２４４において、キャビネットフレーム２００上に取り付けられている。
【００３４】
本発明の特定の実施形態において、Ｐａｎｄｕｉｔ（登録商標）Ｍｉｎｉ−Ｃｏｍ．ＲＴＭ．モジュラージャックなどのモジュラージャック（図示せず）は、ハンドル、キーパッド、リーダ、及びセンサなどのドアに取り付けられた電子機器の迅速かつ容易な着脱のために、例えば開口部２２４、２４４において取り付けることができる。
【００３５】
図６２〜６３を参照すると、強化キャビネットフレーム１１００を含み、電子機器が満載の状態で搬送し、かつ移動させることが可能である電子機器キャビネット１０００の別の実施例が示される。強化キャビネットフレーム１１００を有する例示的な電子機器キャビネット１０００は、キャビネットの構造的整合性及び電子機器の安全性を維持しながら、２０００ポンドの機器負荷が印加された状態で搬送することが可能である。例示的な電子機器キャビネット１０００は、サーバキャビネットの応用のために利用することができる、幅７００ｍｍ×奥行１２００ｍｍ×高さ４２ラックユニット（ＲＵ）サーバタイプキャビネットであるが、特定の用途に応じて所望の通り任意のサイズのキャビネットとすることが可能である。キャビネットフレーム１１００に加えて、電子機器キャビネット１０００は通常、前方及び後方機器レール１２００Ａ及び１２００Ｂ、前面ドア１３００、後方ドア１４００、サイドパネル１５００、ならびに上部キャップ１６００を含む。
【００３６】
図６３及び６５〜６７で示すように、キャビネットフレーム１１００は通常、上述の前後梁２１０、上部及び下部左右梁２２０Ａ、２２０Ｂ、垂直柱２３０、ならびに面板２４０と全て同様である前後梁１１０５、側面梁１１１０の上部及び下部側面、１１１５、垂直柱１１２５、ならびに面板１１３０を含む。また、キャビネットフレーム１１００はまた、上側パネル梁１１３５、下側パネル梁１１４０、及び補強前後梁１１４５を含む。
【００３７】
一対の前後梁１１０５は上部左右梁１１１０に溶接されるか、または確実に固定されるか、もしくは接合されて、上部フレーム１１２０Ａを形成し、また、他の一対の前後梁１１０５は下部左右梁１１１５に溶接されるか、または確実に固定されるか、もしくは接合されて、下部フレーム１１２０Ｂを形成する。垂直柱１１２５は上部及び下部フレーム１１２０Ａ、１１２０Ｂに溶接されるか、または確実に固定されるか、もしくは接合され、また、図示される特定の実施例においては、上部及び下部左右梁１１１０、１１１５の端部付近で、上部左右梁１１１０及び下部左右梁１１１５に溶接される。前後梁１１０５は、垂直柱１１２５に対して、また上部及び下部左右梁１１１０、１１１５ならびに垂直柱１１２５の交差部に対して差し込まれ、キャビネットフレーム１１００の側面に沿って、また、前方及び後方機器レール１２００Ａ、１２００Ｂによって画定される機器取付領域１１９５とサイドパネル１５００の間で、配索領域１１９０（図６８）を形成する。電子機器キャビネット１０００の幅（例えば、６００ｍｍ、７００ｍｍ、８００ｍｍなど）に応じて、機器取付領域１１９５の幅は同一のまま、配索領域１１９０の幅が広がるか、または狭まる。
【００３８】
面板１１３０もまた、例えばナット及びボルトまたはネジなどの着脱自在の接合具を利用して、上部及び下部左右梁１１１０、１１１５に、また、垂直柱１１２５に着脱自在に接合することができるか、または、リベットもしくは溶接部などの接合を利用して、上部及び下部左右梁１１１０、１１１５に永久的に接合することができる。面板１１３０は、キャビネットフレーム１１００に、また、より詳細には、上部及び下部左右梁１１１０、１１１５及び垂直柱１１２５にさらなる剛性を与えるために利用することができる。カバー板１１３２もまた、ナット及びボルトまたはネジなどの着脱自在の接合具を利用して、面板１１３０に着脱自在に接合することができ、取り外した場合には配索用開口部へのアクセスを提供することができる。
【００３９】
上側パネル梁１１３５は垂直柱１１２５の上部に溶接され、筒状の下側パネル梁１１４０は垂直柱１１２５の下部に溶接される。上側及び下側パネル梁１１３５、１１４０は、以下に記すようにサイドパネル１５００を支持固定し、上部及び下部左右梁１１１０、１１１５のねじれトルクを制限することによって、キャビネットフレーム１１００の前後方向の強度を高め、搬送中に過度な力を受けることができる。
【００４０】
図示される実施例において、キャビネットフレーム１１００はまた、キャビネットフレーム１１００の全体の剛性を高めることで電子機器キャビネット１０００の耐衝撃変形性を高める、補強前後梁１１４５を含む。図示される特定の実施例において、補強前後梁１１４５のそれぞれは３部品のアセンブリから成り、垂直柱１１２５間に溶接されるか、または確実に固定されるか、もしくは接合される。しかし、補強前後梁１１４５はまた、単一の単位ユニットであってもよい。補強前後梁１１４５の垂直柱１１２５間での溶接または固定により、キャビネットフレーム１１００の前後方向の剛性が増し、それによって、最終的に搭載された電子機器キャビネット１０００の搬送及び輸送中の振動及び衝撃によるフレームのゆがみが緩和される。以下でさらに詳細に説明するように、補強前後梁１１４５はまた、前方及び後方機器レール１２００Ａ、１２００Ｂに接合され、前方及び後方機器レール１２００Ａ、１２００Ｂに印加される垂直荷重の一部を、付加的な構造的支持が存在する、キャビネットフレーム１１００の垂直柱１１２５へと分散させる。
【００４１】
キャビネットフレーム１１００はまた、キャビネットフレーム１１００にさらに剛性を与えるために、前方及び後方ガセット１１５０、１１５５Ａ、１１５５Ｂを含むことができる。一対の前方ガセット１１５０は、前方垂直柱１１２５及び下部前後梁１１０５に溶接するか、または確実に固定するか、もしくは接合することができ、後方ガセット１１５５Ａの第１の対は、後方垂直柱１１２５及び下部前後梁１１０５に溶接するか、または確実に固定するか、もしくは接合することができ、かつ、後方ガセット１１５５Ｂの第２の対は、後方垂直柱１１２５及び後方上部左右梁１１１０に溶接するか、または確実に固定するか、もしくは接合することができる。以下に記すように、キャビネットフレーム１１００の後方において、構造エアダム１２５０に付加的な支持を加えないまま、後方ガセット１１５５Ａ、１１５５Ｂにより、さらなる剛性が与えられる。
【００４２】
図７０〜７１で示すように、電子機器キャビネット１００に関して上述した通り、水平出し脚１１８５またはキャスターは、下部フレーム１１２０Ｂ、また、より詳細には、下部左右梁１１１５に接合することができる。水平出し脚１１８５またはキャスターは下部フレーム１１２０Ｂに回動可能に接合され、電子機器キャビネット１０００の位置決め及び水平出しを補助することが好ましい。
【００４３】
図６３〜６８を参照すると、標準的な前方及び後方機器レール１２００Ａ、１２００Ｂは、ナット、ボルト、チャネルナット、ネジなどの着脱自在の接合部を用いて、上部及び下部フレーム１１２０Ａ、１１２０Ｂの前後梁１１０５に、機器レール３００Ａ、３００Ｂ及び前後梁２１０に関し上述したのと同じ方法で着脱自在に接合される。前方及び後方機器レール１２００Ａ、１２００Ｂは、サーバ、パッチパネル、及びスイッチなどの電子機器の電子機器キャビネット１０００内での取り付けのための取付開口部１２０５を含み、水平ブランキングパネル（図示せず）を受けるように構成される。上述のように、後方機器レール１２００Ｂはまた、パッチパネルカセット及びケーブル管理フィンガー１２２０などの付属品の電子機器キャビネット１０００（図７４Ａ）内での取り付けのためのパッチパネルカセット取付ブラケット及びケーブル管理フィンガー取付ブラケット１２１５などの付属品取付ブラケットを受けるように構成することができる。図示される実施例において、前方機器レール１２００Ａは前方垂直柱１１２５に固定され、一方で後方機器レール１２００Ｂは調整可能である。
【００４４】
図６４Ａ及び６４Ｂで示すように、前方及び後方機器レール１２００Ａ、１２００Ｂはまた、ナット及びボルト及びネジなどの着脱自在の接合具を利用して機器レール１２００Ａ、１２００Ｂに着脱自在に接合することができる、スティフナ１２１０を含むことができる。代わりに、機器レール１２００Ａ、１２００Ｂ及びスティフナ１２１０は、一体的に形成される場合がある。
【００４５】
キャビネットフレーム１１００に、また、前方及び後方機器レール１２００Ａ、１２００Ｂにさらなる強度及び剛性を与えるために、付加的な構造的特徴及び接合具がまた、キャビネットフレーム１１００内に組み込まれる。
【００４６】
図６４Ａ、６４Ｂ、及び６８で示すように、各前方機器レール１２００Ａは、ネジまたはナット及びボルトなどのネジ部材１２５５を用いて構造エアダム１２５０に接合されるか、または、リベット、溶接部などを利用して、構造エアダム１２５０に永久的に取り付けられ、前方機器レールアセンブリを形成する場合がある。以下に記すように、キャビネットフレーム１１００内に設置される場合、前方機器レールアセンブリは、前方機器レール１２００Ａによって印加される動的な力の一部を前方垂直柱１１２５へと移動させるために利用することができる。構造エアダム１２５０は略Ｃ字形断面であり、通過可能な切欠部１２６０を有することで、開放型ＲＵ間隙を利用することなく、電子機器キャビネット１０００の前方から後方へと通る配索を可能にし、給電を行う。各通過可能な切欠部１２６０の大きさ及び形状は、ブランク、ベゼル、ブーツなどのよく知られた封止方法を依然として利用しながら、最大量の配索を可能にするよう最適化される。通過可能な切欠部１２６０は、不使用時には、ネジ部材１２７０を用いて構造エアダム１２５０に固定することができるカバー板１２６５で覆うことができる。
【００４７】
前方機器レール１２００Ａ及び構造エアダム１２５０を有する各機器レールアセンブリは、前方垂直柱１１２５及び前方機器レール１２００Ａの１つと隣接して位置付けられ、上述のように上部及び下部前後梁１１０５に接合される。図６６で示すように、各構造エアダム１２５０もまた、対応する前方垂直柱１１２５に、また、隣接する補強前後梁１１４５のそれぞれに固定される。構造エアダム１２５０は、ポストブラケット１７００を用いて前方垂直柱１１２５に固定される。各ポストブラケット１７００は、略Ｌ形状の第１部分１７０５及び略平面状の第２部分１７１０を有する。ポストブラケット１７００の第１部分１７０５は、ネジ部材１８１０を用いて、例えばネジまたはナット及びボルトを用いて構造エアダム１２５０に固定され、ポストブラケット１７００の第２部分１７１０は、ネジ部材を用いて、例えばネジまたはナット及びボルトを用いて、前方垂直柱１１２５に固定される。ボルト１７１５は第１及び第２部分１７０５、１７１０の整列した穴（図示せず）に挿入され、かつナット１７２０によって固定され、それによって構造エアダム１２５０を前方垂直柱１１２５にしっかりと固定する。構造エアダム１２５０はまた、ビームブラケット１８００を用いて隣接する補強前後梁１１４５のそれぞれに固定される。各ビームブラケット１８００は略Ｌ字形状であり、第１部分１８０５及び第１部分１８０５と略直交する第２部分１８１５を有し、補強前後梁１１４５において形成されたチャネル１１６０に嵌合する大きさである。第１部分１８０５は、ネジまたはナット及びボルトなどのネジ部材１８１０を用いて構造エアダム１２５０に固定され、第２部分１８１５は、ネジまたはナット及びボルトなどのネジ部材１８２０を用いて補強前後梁１１４５に固定され、それによって、構造エアダム１２５０を補強前後梁１１４５にしっかりと固定する。
【００４８】
ポストブラケット１７００及びビームブラケット１８００は、構造エアダム１２５０、ひいては前方機器レール１２００Ａを前方垂直柱１１２５及び補強前後梁１１４５にそれぞれ接合することで接合点をより強固にし、構造エアダム１２５０の作成を簡略化する。機器レールアセンブリは、機器レールアセンブリの前方垂直柱１１２５及び補強前後梁１１４５への接合によって高められた前後及び左右強度を有し、前方垂直柱１１２５に構造を効果的に加えることによって、キャビネットフレーム１１００の全体の剛性が増す。
【００４９】
後方機器レール１２００Ｂもまた、後方機器レール１２００Ｂの補強前後梁への接合による付加的な支持とともに設けられる。図６７を参照すると、後方機器レール１２００Ｂは後方ビームブラケット１９００を用いて隣接する補強前後梁１１４５に固定される。各後方ビームブラケット１９００は略Ｌ形状であり、第１部分１９０５及び第１部分１９０５と略直交する第２部分１９１５を有し、補強前後梁１１４５のチャネル１１６０に嵌合する大きさである。第１部分１９０５は、ネジまたはナット及びボルトなどのネジ部材１９１０を用いて後方機器レール１２００Ｂに固定され、また、第２部分１９１５は、ネジまたはナット及びボルトなどのネジ部材１９２０を用いて補強前後梁１１４５に固定され、それによって、後方機器レール１２００Ｂが補強前後梁１１４５にしっかりと固定される。
【００５０】
図６２全体を参照すると、電子機器キャビネット１０００の前面ドア１３００及び後方ドア１４００は、上述の電子機器キャビネット１００の前面ドア４００及び後方ドア５００と同じ構造を有し、電子機器キャビネット１００の前面ドア４００及び後方ドア５００に関し上述したのと同じ方法でキャビネットフレーム１１００に接合される。
【００５１】
図７０〜７３を参照すると、サイドパネル１５００は、板１５０５及び、板１５０５の下部に隣接して接合される管状部材１５１０を含む。圧延鋼製タブ１５１５は管状部材１５１０に接合され、板１５０５の下部から延在し、キャビネットフレーム１１００の下側パネル梁１１４０において、スロット１１４２に係合するように構成される。図７０〜７１で示すように、サイドパネル１５００は、タブ１５１５が下側パネル梁１１４０のスロット１１４２と整列し、タブ１５１５がスロット１１４２に挿入されるように位置付けられる。板１５０５の下部はその後、下側パネル梁１１４０の上面１１４３上に直接載せられる。タブ１５１５がスロット１１４２内に係合されると、サイドパネル１５００が垂直になり、板１５００の上部が上側パネル梁１１３５に係合するまで、サイドパネル１５００はキャビネットフレーム１１００に向かって回動することができる。
【００５２】
図示される実施例において、各サイドパネル１５００はまた、サイドパネル１５００の上部の反対側から延在する一対の後退可能なラッチ１５３０を有する。ラッチ１５３０の１つは、キャビネットフレーム１１００にボルト接合されるか、または固定されるコーナーブラケット１５３５内に形成される開口部１５４０に係合する。例えば図７２及び７３において最も理解されるように、コーナーブラケット１５３５については、上側パネル梁１１３５及び垂直柱１１２５にボルト接合し、キャビネットフレーム１１００に固定することができる。対向するラッチ１５３０は、上側及び下側パネル梁１１３５、１１４０にボルト接合されるか、または固定されるセンターポスト内に形成される開口部１５５０に係合する。図７２に示すように、上側及び下側パネル梁１１３５、１１４０への固定に加えて、センターポスト１５４５についてはまた、付加的な安定性を与えるために、１つまたは複数の補強前後梁１１４５にボルト接合するか、または固定することができる。サイドパネル１５００がキャビネットフレーム１１００に向かって回動するにつれて、ラッチ１５３０を手動で後退させる。サイドパネル１５００が垂直であり、板１５００の上部が上側パネル梁１１３５に係合する場合、ラッチ１５３０は解放され、コーナーブラケット１５３５内の開口部１５４０及びセンターポスト１５４５内の開口部１５５０に係合するように延在して、サイドパネル１５００をキャビネットフレーム１１００に固定する。
【００５３】
図７２及び７３で示すように、各サイドパネル１５００はまた、上側パネル梁１１３５のフランジ１１０７の後方でロック機構１５２０のカム１５２５を駆動するように回動し、サイドパネル１５００の取り外しを防止することが可能であるサイドパネル１５００の上部に隣接するキー従動１／４回転ロックなどのロック機構１５２０を含むことができる。
【００５４】
図６２及び７４Ａ〜Ｃを参照すると、上部キャップ１６００は、ネジまたはナット及びボルトなどのネジ部材（図示せず）を利用して、キャビネットフレーム１１００の前後梁１１０５及び上部左右梁１１１０に着脱自在に接合される。図示される実施例において上部キャップ１６００は、電子機器キャビネット１００の上部キャップ７００前部１６０５及び後部１６１０を有する２部品構造である。上部キャップ１６００の前部１６０５は、電子機器キャビネット１００の上部キャップ７００に関して上述した通り、グロメット及びグロメットカバー１６１５と嵌合される、前部１６０５の側面に沿ったデータケーブル開口部を含むことができる。上部キャップ１６００の後部１６１０はまた、電子機器キャビネット１００の上部キャップ７００に関して上述した通り、グロメット及びグロメットカバー１６１５と嵌合される、後部１６１０の側面に沿ったデータケーブル開口部及び後部１６１０の後方に沿った電力ケーブル開口部を含むことができる。図示される実施例において、後部１６１０内の電力ケーブル開口部は、ネジ部材によって後部１６１０に固定されるカバー１６２０によって覆われる。図７４Ｂ及び７４Ｃで理解されるように、上部キャップ１６００の後部１６１０は、標準的なＰａｎｄｕｉｔ（登録商標）２．０  ＶＥＤなどの排気筒１６３０、または他の垂直排気ダクト（ＶＥＤ）の設置を可能にするために取り外すことができる。
【００５５】
電子機器キャビネット１０００の特定の実施形態において、ドア位置センサ及び環境センサ（例えば、温度、湿度など）などのセンサ（図示せず）は、カバー板１１３２に覆われた上部左右梁内の開口部において、キャビネットフレーム１００上に取り付けることができる。同様に、Ｐａｎｄｕｉｔ（登録商標）Ｍｉｎｉ−Ｃｏｍ．ＲＴＭ．モジュラージャックなどのモジュラージャック（図示せず）はまた、ハンドル、キーパッド、リーダ、及びセンサなどのドアに取り付けられた電子機器の迅速かつ容易な着脱のために、カバー板１１３２によって覆われる上部左右梁内の開口部においてキャビネットフレーム１００上に取り付けることができる。
【００５６】
図７５〜７９を参照すると、電子機器で満載である状態で搬送し、移動させることができる電子機器キャビネットに対しても利用することができる、強化キャビネットフレーム２１００の別の実施例が示される。強化キャビネットフレーム２１００を有する例示的な電子機器キャビネットは、キャビネットの構造的整合性及び電子機器の安全性を維持しながら、１２００ポンドの機器負荷が印加された状態で搬送することが可能であり、ネットワークキャビネットの応用のために利用することができる。図示される実施例において、キャビネットフレーム１１００を有する電子機器キャビネットは、幅８００ｍｍ×奥行１２００ｍｍ×高さ４２ＲＵのネットワークタイプキャビネットであるが、特定の用途に応じて所望の通り任意のサイズのキャビネットとすることが可能である。キャビネットフレーム２１００に加えて、例示的な電子機器キャビネットは通常、電子機器キャビネット１０００に関して上述した通り、前方及び後方機器レール１２００Ａ及び１２００Ｂ、前面ドア１３００、後方ドア１４００、サイドパネル１５００、及び上部キャップ１６００を再び含む。前面ドア１３００、後方ドア１４００、サイドパネル１５００、及び上部キャップ１６００は電子機器キャビネット１０００に関して上述したのと同一であるため、説明を明瞭にするために、これらの特徴については図７５〜７９に記載しておらず、以下ではキャビネットフレーム２１００ならびに前方及び後方機器レール２２００Ａ及び２２００Ｂのみについて説明する。
【００５７】
キャビネットフレーム２１００は上述のキャビネットフレーム１１００と同様であるが、ネットワークキャビネットの応用に必要な様々な特徴を含む。例えばキャビネットフレーム１１００に関して上述した通り、キャビネットフレーム２１００もまた、前後梁１１０５、側面梁１１１０、１１１５の上部及び下部側面、垂直柱１１２５、面板１１３０、上側パネル梁１１３５、ならびに下側パネル梁１１４０を通常含む。上述のように、一対の前後梁１１０５は、上部左右梁１１１０に溶接されるか、または確実に固定されるか、もしくは接合されて、上部フレーム１１２０Ａを形成し、他の一対の前後梁１１０５は、下部左右梁１１１５に溶接されるか、または確実に固定されるか、もしくは接合されて、下部フレーム１１２０Ｂを形成し、垂直柱１１２５は、上部及び下部フレーム１１２０Ａ、１１２０Ｂに溶接されるか、または確実に固定されるか、もしくは接合され、上側パネル梁１１３５は、垂直柱１１２５の上部に溶接され、筒状の下側パネル梁１１４０は、垂直柱の下部に溶接される。面板１１３０はまた、上部及び下部左右梁１１１０、１１１５に着脱自在に接合することができ、垂直柱１１２５及びカバー板１１３２もまた、ナット及びボルトまたはネジなどの着脱自在の接合具を利用して、面板１１３０に着脱自在に接合することができる。キャビネットフレーム２１００もまた、上述のように、キャビネットフレーム２１００にさらなる剛性を与えるために、前方及び後方ガセット１１５０、１１５５Ａ、１１５５Ｂを含むことができる。
【００５８】
電子機器キャビネット１１００に関して上述した通り、水平出し脚またはキャスター１１８０（図７８、７８Ｂ、及び７９）は、下部フレーム１１２０Ｂに接合することができる。水平出し脚またはキャスター１１８０は、下部フレーム１１２０Ｂに回動可能に接合され、電子機器キャビネット１０００の位置決め及び水平出しを補助することが好ましい。
【００５９】
前方機器レール１２００Ａとは異なり、前方機器レール２２００Ａはパッチパネルの配索を受容するために、キャビネットフレーム２１００の前面よりも後方に設けられる。したがって、キャビネットフレーム２１００に、また、前方及び後方機器レール２２００Ａ、２２００Ｂにさらなる強度及び剛性を与えるために、付加的な構造的特徴及び接合具がまた、キャビネットフレーム２１００内に組み込まれる。前方及び後方機器レール２２００Ａ、２２００Ｂは、サーバ、パッチパネル、及びスイッチなどの電子機器の取り付けのための取付開口部１２０５を含み、水平ブランキングパネル（図示せず）を受けるように構成される。後方機器レール２２００Ｂはまた、パッチパネルカセット及びケーブル管理フィンガーなどの付属品の取り付けのためのパッチパネルカセット取付ブラケット及びケーブル管理フィンガー取付ブラケット２２１５（図７９）などの付属品取付ブラケットを受けるように構成される。前方及び後方機器レール２２００Ａ、２２００Ｂはまた、ナット及びボルト及びネジなどの着脱自在の接合部１２１２を利用して、機器レール２２００Ａ、２２００Ｂに着脱自在に接合することができる、スティフナ１２１０を含むことができる。代わりに、機器レール２２００Ａ、２２００Ｂ及びスティフナ１２１０は、一体的に形成される場合がある。
【００６０】
図７６及び７７で示すように、各前方機器レール２２００Ａについては、ネジまたはナット及びボルトなどのネジ部材２２３５を用いて、チャネル部材２２３０に接合するか、または、リベット、溶接部などを利用して、チャネル部材２２３０に永久的に取り付ける場合があり、かつ垂直ケーブル管理レール２２４０についてもまた、強化前方機器レールアセンブリ２２８０を形成するために、ネジまたはナット及びボルトなどのネジ部材２２４５を用いてチャネル部材２２３０に接合するか、または、リベット、溶接部などを利用して、チャネル部材２２３０に永久的に取り付ける場合がある。チャネル部材２２３０は略Ｃ字形断面を有し、３ｍｍ厚の鋼により作製することができる一方、前方機器レール２２００Ａ及び垂直ケーブル管理レール２２４０は、２ｍｍ厚の鋼により作製することができる。
【００６１】
垂直ケーブル管理レール２２４０は、ケーブル管理フィンガーが垂直ケーブル管理レール２２４０にスナップ嵌合するように、ケーブル管理フィンガーを前方機器レールアセンブリ２２８０に取り付けるために利用することができる。
【００６２】
図７８、７８Ａ、及び７８Ｂを参照すると、前方及び後方機器レール２２００Ａ、２２００Ｂは、細長いチャネルナット２３５０及び取付ボルト２３７０を利用して、上部及び下部フレーム１１２０Ａ、１１２０Ｂに前後梁１１０５に着脱自在に接合される。チャネルナット２３５０は、チャネル内を長手方向に摺動できるよう前後梁１１０５の内側に形成されたチャネル内に嵌合し、前後梁１１０５におけるスロット１１０８を通って延在する一対のフィンガー２３５５を有する。取付ボルト２３７０は、スティフナ１２１０の穴１２１３（図７６）を通って、または、スティフナ１２１０を利用しない場合には、前方または後方機器レール２２００Ａ、２２００Ｂの穴を通って延在し、チャネルナット２３５０のねじ穴２３６０に螺入される。チャネルナット２３５０及び取付ボルト２３７０が螺合され、かつ堅固である場合、機器レール２２００Ａ、２２００Ｂは前後梁１１０５に固定される。しかし、チャネルナット２３５０及び取付ボルト２３７０が螺合されるるものの緩んでいる場合、機器レール２２００Ａ、２２００Ｂは前後梁１１０５内のスロット１１０８に沿って摺動することができ、機器レール２２００Ａ、２２００Ｂが前後梁１１０５に沿って任意の数の場所において位置合わせすることを可能にする。
【００６３】
チャネルナット２３５０及び取付ボルト２３７０に加えて、前方機器レールアセンブリ２２８０は、３ｍｍ厚の鋼により作製することができる付加的な上部及び下部取付ブラケット２４１０、２４５０を用いて、前後梁１１０５にさらに固定される場合がある。この付加的な支持により、負荷が印加された際の前方機器レールアセンブリ２２８０の移動または湾曲を確実に防ぐ。図７８Ａで理解されるように、上部取付ブラケット２４１０は、前方機器レールアセンブリ２２８０の上部を覆って嵌合される略Ｕ字形状の本体２４１５を有し、ネジ部材２４２２を用いて上部取付ブラケット２４１０を垂直ケーブル管理レール２２４０に固定するための、ねじ穴２２４２と整列する穴２４２０及び、ネジ部材２４２７を用いて上部取付ブラケット２４１０をチャネル部材２２３０に固定するねじ穴２２３２と整列する穴２４２５を含む。一対のフランジ２４３０は、本体２４１５の両側から延在し、それぞれがネジ部材２４４０を用いて上部取付ブラケット２４１０をチャネルナット２３５０に固定するためのねじ穴２３６０と整列する細長い穴２４３５を含んで、全てを一体的に固定する。
【００６４】
図７８Ｂで理解されるように、下部取付ブラケット２４５０もまた、前方機器レールアセンブリ２２８０の下部を覆って嵌合される略Ｕ字形状の本体２４５５を有し、ネジ部材２４６２を下部取付ブラケット２４５０を垂直ケーブル管理レール２２４０に固定するためのねじ穴２２４２と整列する穴２４６０及び、ネジ部材２４６７を用いて下部取付ブラケット２４５０をチャネル部材２２３０に固定するためのねじ穴２２３２と整列する穴２４６５を含む。第１のフランジ２４７０は本体２４５５の側面から延在し、ネジ部材２４８０を用いて下部取付ブラケット２４５０をチャネルナット２３５０に固定するためのねじ穴２３６０と整列する細長い穴２４７５を含んで、すべてを一体的に固定する。一対のフランジ２４８５もまた、本体２４５５の下部から延在し、それぞれがねじ穴１１１７と整列する開口部を含んで、ネジ部材２４９０を用いて下部取付ブラケット２４５０を下部左右梁１１１５に固定する。
【００６５】
図７５及び７９を参照すると、垂直ブランキングパネルまたは非構造エアダム２５５０もまた、電子機器キャビネットのために、温風／冷風の分離前方機器レールアセンブリ２２８０に取り付けることができる。ブラケット２５５５は、ネジ部材２５６０を用いてチャネル部材２２３０の上部及び下部に固定することができ、垂直ブランキングパネル２５５０は、ネジ部材２５６５を用いてブラケット２５５５に固定することができる。また、複数の垂直ブランキングパネルを利用する場合、図７５及び７９で示すように、１つまたは複数の付加的なブラケット２５７０は、ネジ部材２５７５を用いてチャネル部材２２３０に固定することができ、隣接する垂直ブランキングパネル２５５０は、ネジ部材２５８０を用いて付加的なブラケット２５７０に固定することができる。代わりに、単一の垂直ブランキング板が利用され、ブラケット２５５５のみを用いて固定される場合がある。各垂直ブランキング板２５５０は、１つまたは複数のケーブル通過開口部２５８５を含むことができ、ブーツまたは他の封止要素が開口部２５８５に設置されて、ケーブルが存在する場合に開口部２５８５を封止することができる。不使用時には、開口部２５８５はカバー板２５９０によって封止し、ネジ部材２５９２を用いて垂直ブランキングパネル２５５０に固定することができる。また、１インチ×１インチの発泡ガスケットなどの封止部材２５９５は、垂直ブランキングパネルの外縁部に固定され、垂直ブランキングパネル２５５０とサイドパネル１５００または隣接するキャビネットとの間に封止部を形成することができる。
【００６６】
本発明の特定の実施形態を図示説明したが、その広い側面において本発明から逸脱することなく変更及び修正を行うことが可能であることが当業者には自明である。したがって、添付の特許請求の範囲における目的は、本発明の真の趣旨及び範囲内に入るすべての変更及び修正を包含することである。上述の説明及び添付図面で示された事項は、単に例示のためのみに与えられるものであり、限定として示されるものではない。本発明の実際の範囲は、従来の技術に基づいてその正しい視野において検討される時、以下の特許請求の範囲において定められることを意図する。
【図１】
2017528003.tif 000003
【図２】
2017528003.tif 000004
【図３】
2017528003.tif 000005
【図４】
2017528003.tif 000006
【図５】
2017528003.tif 000007
【図６】
2017528003.tif 000008
【図７】
2017528003.tif 000009
【図８】
2017528003.tif 000010
【図９】
2017528003.tif 000011
【図１０】
2017528003.tif 000012
【図１１】
2017528003.tif 000013
【図１２】
2017528003.tif 000014
【図１３】
2017528003.tif 000015
【図１４】
2017528003.tif 000016
【図１５】
2017528003.tif 000017
【図１６】
2017528003.tif 000018
【図１７】
2017528003.tif 000019
【図１８】
2017528003.tif 000020
【図１９】
2017528003.tif 000021
【図２０】
2017528003.tif 000022
【図２１】
2017528003.tif 000023
【図２２】
2017528003.tif 000024
【図２３】
2017528003.tif 000025
【図２４】
2017528003.tif 000026
【図２５】
2017528003.tif 000027
【図２６】
2017528003.tif 000028
【図２７】
2017528003.tif 000029
【図２８】
2017528003.tif 000030
【図２９】
2017528003.tif 000031
【図３０】
2017528003.tif 000032
【図３１】
2017528003.tif 000033
【図３２】
2017528003.tif 000034
【図３３】
2017528003.tif 000035
【図３４】
2017528003.tif 000036
【図３５】
2017528003.tif 000037
【図３６】
2017528003.tif 000038
【図３７】
2017528003.tif 000039
【図３８】
2017528003.tif 000040
【図３９】
2017528003.tif 000041
【図４０】
2017528003.tif 000042
【図４１】
2017528003.tif 000043
【図４２】
2017528003.tif 000044
【図４３】
2017528003.tif 000045
【図４４】
2017528003.tif 000046
【図４５】
2017528003.tif 000047
【図４６】
2017528003.tif 000048
【図４７】
2017528003.tif 000049
【図４８】
2017528003.tif 000050
【図４９】
2017528003.tif 000051
【図５０】
2017528003.tif 000052
【図５１】
2017528003.tif 000053
【図５２】
2017528003.tif 000054
【図５３】
2017528003.tif 000055
【図５４】
2017528003.tif 000056
【図５５】
2017528003.tif 000057
【図５６】
2017528003.tif 000058
【図５７】
2017528003.tif 000059
【図５８】
2017528003.tif 000060
【図５９】
2017528003.tif 000061
【図６０】
2017528003.tif 000062
【図６１】
2017528003.tif 000063
【図６２】
2017528003.tif 000064
【図６３】
2017528003.tif 000065
【図６４Ａ】
2017528003.tif 000066
【図６４Ｂ】
2017528003.tif 000067
【図６５】
2017528003.tif 000068
【図６６】
2017528003.tif 000069
【図６７】
2017528003.tif 000070
【図６８】
2017528003.tif 000071
【図６９】
2017528003.tif 000072
【図７０】
2017528003.tif 000073
【図７１】
2017528003.tif 000074
【図７２】
2017528003.tif 000075
【図７３】
2017528003.tif 000076
【図７４Ａ】
2017528003.tif 000077
【図７４Ｂ】
2017528003.tif 000078
【図７４Ｃ】
2017528003.tif 000079
【図７５】
2017528003.tif 000080
【図７６】
2017528003.tif 000081
【図７７】
2017528003.tif 000082
【図７８】
2017528003.tif 000083
【図７８Ａ】
2017528003.tif 000084
【図７８Ｂ】
2017528003.tif 000085
【図７９】
2017528003.tif 000086
【国際調査報告】
2017528003.tif 000087
2017528003.tif 000088
2017528003.tif 000089
2017528003.tif 000090
2017528003.tif 000091